(57)【特許請求の範囲】
【請求項１】
搬送波が位相変調された入力信号から当該搬送波を再生する装置であって、
前記入力信号を複素ベースバンド信号に変換する変換手段と、
前記複素ベースバンド信号と局部発振信号とを複素乗算することにより、当該複素ベースバンド信号の位相を回転させるための複素乗算器と、
前記複素乗算器の出力信号を入力して、前記入力信号と前記局部発振信号との位相差を検出する位相差検出手段と、
前記位相差検出手段で検出された位相差に応じて周波数が制御され、前記局部発振信号を出力する局部発振手段と、
複素平面上で予め分割された領域のうち、どの領域に前記複素ベースバンド信号が属するかを判定する領域判定手段と、
前記領域判定手段の出力を入力して、複素平面上のどの領域に最も多く前記複素ベースバンド信号が集中しているかを判定する最多領域判定手段と、
前記最多領域判定手段の出力に基づいて、前記局部発振信号の位相の初期値を設定する初期位相設定手段とを備える、搬送波再生装置。
【請求項２】
前記入力信号は、バースト状に入力され、
前記複素ベースバンド信号を記憶する記憶手段と、
前記記憶手段の中の任意の部分を任意の順序で読み出して、前記複素乗算器および前記領域判定手段に供給するための読み出し手段とをさらに備える、請求項１に記載の搬送波再生装置。
【請求項３】
搬送波が位相変調された入力信号から当該搬送波を再生する方法であって、
前記入力信号を複素ベースバンド信号に変換する第１のステップと、
前記複素ベースバンド信号と局部発振信号とを複素乗算することにより、当該複素ベースバンド信号の位相を回転させるための第２のステップと、
前記第２のステップで得た乗算結果を入力して、前記入力信号と前記局部発振信号との位相差を検出する第３のステップと、
前記第３のステップで検出された位相差に応じて前記局部発振信号の周波数を制御する第４のステップと、
複素平面上で予め分割された領域のうち、どの領域に前記複素ベースバンド信号が属するかを判定する第５のステップと、
前記第５のステップの判定結果に基づいて、複素平面上のどの領域に最も多く前記複素ベースバンド信号が集中しているかを判定する第６のステップと、
前記第６のステップの判定結果に基づいて、前記局部発振信号の位相の初期値を設定する第７のステップとを備える、搬送波再生方法。
【請求項４】
前記入力信号は、バースト状に入力され、
前記第１のステップで得た複素ベースバンド信号を記憶する第８のステップと、
前記第８のステップで記憶された複素ベースバンド信号の任意の部分を任意の順序で読み出して、前記第２および第５のステップでの処理のために供給する第９のステップとをさらに備える、請求項３に記載の搬送波再生方法。
【発明の詳細な説明】
【０００１】
【発明の属する技術分野】
この発明は、搬送波再生方法および装置に関し、より特定的には、搬送波が位相変調された受信信号から当該搬送波を再生する方法および装置に関する。
【０００２】
【従来の技術】
ＰＳＫのように位相変調された信号を受信して復調する際、当該位相変調信号から搬送波を再生する必要がある。再生された搬送波は、受信信号の位相を調べるために用いられる。
【０００３】
従来の搬送波再生装置としては、例えば特公平２−１９６６６号公報に記述されたものが知られている。図１４は、この従来の搬送波再生装置の構成を示すブロック図である。図１４において、従来の搬送波再生装置は、受信信号入力端子２１と、乗算器２２，２３，２７と、π／２ラジアン移相器２４と、低域通過フィルター２５，２６と、位相比較器２８と、ループフィルター２９と、電圧制御発振器３０と、レベル判定器３１，３２と、自乗器３３，３４と、和算器３５とを備えている。なお、図１４は、２相ＰＳＫ方式の場合の構成を示している。
【０００４】
次に、図１４に示す搬送波再生装置の動作について説明する。受信信号入力端子２１からは、位相変調された受信信号が入力される。この受信信号は、乗算器２２および２３に与えられる。乗算器２２は、当該受信信号と、π／２ラジアン移相器２４で９０°位相がシフトされた電圧制御発振器３０の出力信号とを乗算する。また、乗算器２３は、当該受信信号と電圧制御発振器３０の出力信号とを乗算する。これら乗算器２２および２３によって、受信信号は、複素ベースバンド信号に変換される。
【０００５】
乗算器２２の出力は、低域通過フィルター２５で余分な雑音成分が除去された後、受信信号の正弦成分を表す信号５０１として、乗算器２７に与えられる。乗算器２３の出力は、低域通過フィルター２６で余分な雑音成分が除去された後、受信信号の余弦成分を表す信号６０１として、乗算器２７に与えられる。乗算器２７は、信号５０１および６０１を乗算することにより、受信信号の位相と電圧制御発振器３０の位相との差の２倍の正弦成分を有する信号７０１を出力する。
【０００６】
また、乗算器２２の出力は、低域通過フィルター２５で余分な雑音成分が除去された後、自乗器３３で自乗されて和算器３５に与えられる。さらに、乗算器２３の出力は、低域通過フィルター２６で余分な雑音成分が除去された後、自乗器３４で自乗されて和算器３５に与えられる。和算器３５は、自乗器３３および３４の出力信号を足し合わせて合成することにより、受信信号の位相と電圧制御発振器３０の位相との差の２倍の余弦成分を有する信号８０１を出力する。これら信号７０１および８０１は、それぞれ、レベル判定器３１および３２でレベルが判定された後、位相比較器２８に与えられ、複素平面上での受信信号の位相と電圧制御発振器３０の位相との誤差が検出される。位相比較器２８の出力は、ループフィルター２９を経由して、電圧制御発振器３０の発振位相を制御する。
【０００７】
上記のような構成において、受信信号の位相と電圧制御発振器３０の位相との誤差が０になった時点での電圧制御発振器３０の出力信号が、再生された搬送波となる。すなわち、この時点での電圧制御発振器３０の出力信号は、その位相が受信信号の位相と一致している。再生された搬送波は、図示しない復調回路に与えられ、受信信号の位相（２相ＰＳＫの場合は、０°か１８０°か）を調べるために用いられる。
【０００８】
なお、以上の構成にさらに乗算器、自乗器および和算器を追加して、４相ＰＳＫ方式に対応させた例も上記公告公報に記されている。
【０００９】
【発明が解決しようとする課題】
上記のように、従来の搬送波再生装置においては、位相差について、正弦成分と余弦成分との両方を求めていた。これは、いわゆるハングアップ現象を抑えるためである。ハングアップ現象は、再生されたベースバンド信号が、理想の位相位置から丁度、＋９０°あるいは−９０°ずれた場合に起こる。この場合、ベースバンド信号を正負どちら方向に回転させるが判らなくなる。従来の搬送波再生装置では、位相差の正弦成分と余弦成分の両方を求め、回転方向を定める時にヒステリシス特性を導入することにより、ベースバンド信号が理想の位相位置から＋９０°、あるいは−９０°ずれた場合に回転方向を確定できるようにしている。
【００１０】
上記のように、従来の搬送波再生装置は、バックアップ現象を抑えるために、数多くの乗算器や自乗器を備える必要があり、回路規模が大きくなるという問題点があった。特に、入力信号がディジタル化数値であり、搬送波再生装置をディジタル回路で構成する場合は、乗算器や自乗器の規模が大きいため、位相差を検出する部分の規模が非常に大きくなるという問題点があった。
【００１１】
それ故に、本発明の目的は、小さい回路規模でバックアップ現象を抑えることのできる搬送波再生方法および装置を提供することである。
【００１２】
【課題を解決するための手段および発明の効果】
第１の発明は、搬送波が位相変調された入力信号から当該搬送波を再生する装置であって、
入力信号を複素ベースバンド信号に変換する変換手段と、
複素ベースバンド信号と局部発振信号とを複素乗算することにより、当該複素ベースバンド信号の位相を回転させるための複素乗算器と、
複素乗算器の出力信号を入力して、入力信号と局部発振信号との位相差を検出する位相差検出手段と、
位相差検出手段で検出された位相差に応じて周波数が制御され、局部発振信号を出力する局部発振手段と、
複素平面上で予め分割された領域のうち、どの領域に複素ベースバンド信号が属するかを判定する領域判定手段と、
領域判定手段の出力を入力して、複素平面上のどの領域に最も多く複素ベースバンド信号が集中しているかを判定する最多領域判定手段と、
最多領域判定手段の出力に基づいて、局部発振信号の位相の初期値を設定する初期位相設定手段とを備えている。
【００１３】
上記のように、第１の発明では、複素平面上で予め分割された領域のうち、どの領域に最も多く複素ベースバンド信号が集中しているかを最初に判定し、その判定結果に基づいて局部発振信号の位相の初期値を設定することにより、ハングアップ現象の防止を図っているので、位相差の余弦成分を求める必要がなく、簡単な比較器や論理素子で搬送波の再生が行える。
【００１４】
第２の発明は、第１の発明において、
入力信号は、バースト状に入力され、
複素ベースバンド信号を記憶する記憶手段と、
記憶手段の中の任意の部分を任意の順序で読み出して、複素乗算器および領域判定手段に供給するための読み出し手段とをさらに備えている。
【００１５】
上記のように、第２の発明では、バースト状の入力信号に対応して搬送波を再生することができる。
【００１６】
第３の発明は、搬送波が位相変調された入力信号から当該搬送波を再生する方法であって、
入力信号を複素ベースバンド信号に変換する第１のステップと、
複素ベースバンド信号と局部発振信号とを複素乗算することにより、当該複素ベースバンド信号の位相を回転させるための第２のステップと、
第２のステップで得た乗算結果を入力して、入力信号と局部発振信号との位相差を検出する第３のステップと、
第３のステップで検出された位相差に応じて局部発振信号の周波数を制御する第４のステップと、
複素平面上で予め分割された領域のうち、どの領域に複素ベースバンド信号が属するかを判定する第５のステップと、
第５のステップの判定結果に基づいて、複素平面上のどの領域に最も多く複素ベースバンド信号が集中しているかを判定する第６のステップと、
第６のステップの判定結果に基づいて、局部発振信号の位相の初期値を設定する第７のステップとを備えている。
【００１７】
上記のように、第３の発明では、複素平面上で予め分割された領域のうち、どの領域に最も多く複素ベースバンド信号が集中しているかを最初に判定し、その判定結果に基づいて局部発振信号の位相の初期値を設定することにより、ハングアップ現象の防止を図っているので、位相差の余弦成分を求める必要がなく、簡単な処理で搬送波の再生が行える。
【００１８】
第４の発明は、第３の発明において、
入力信号は、バースト状に入力され、
第１のステップで得た複素ベースバンド信号を記憶する第８のステップと、
第８のステップで記憶された複素ベースバンド信号の任意の部分を任意の順序で読み出して、第２および第５のステップでの処理のために供給する第９のステップとをさらに備えている。
【００１９】
上記のように、第４の発明では、バースト状の入力信号に対応して搬送波を再生することができる。
【００２０】
【発明の実施の形態】
以下、添付図面に基づき、本発明の実施形態について詳細に説明する。
【００２１】
（第１の実施形態）
図１は、本発明の第１の実施形態に係る搬送波再生装置の構成を示すブロック図である。なお、本実施形態は、２相ＰＳＫ方式の搬送波を再生するものであり、回路のディジタル化に適するようにベースバンド帯域において搬送波再生処理を行うものである。
【００２２】
図１において、本実施形態の搬送波再生装置は、受信信号入力端子１と、固定発振器２と、直交振幅検波器３と、サンプラー４と、複素乗算器５と、局部発振部６と、位相差検出部７と、ループフィルター８と、領域判定部９と、最多領域判定部１０と、初期位相発生器１１と、タイミング発生回路１２とを備えている。
【００２３】
局部発振部６は、加算器６１と、選択回路６２と、レジスタ６３と、余弦関数発生器６４と、正弦関数発生器６５とを含む。位相差検出部７は、乗算器７１を含む。領域判定部９は、比較器９１および９２と、論理回路９３とを含む。最多領域判定部１０は、カウンター１０１と、比較器１０２とを含む。初期位相発生器１１および選択回路６２は、協働して、初期位相設定部を構成する。
【００２４】
直交振幅検波器３は、受信信号入力端子１に入力された受信信号を、受信信号の周波数と等しい発振周波数を持つ固定発振器２からの信号を基準にして検波することにより、複素ベースバンド信号を出力する。サンプラー４は、この複素ベースバンド信号を、シンボルクロックＳＣＬＫに同期して（すなわち、受信信号のシンボルタイミングに同期して）サンプルすることにより、ベースバンド信号ｘおよびｙを出力する。複素乗算器５は、これらベースバンド信号ｘおよびｙに、局部発振信号ｃおよびｓを複素乗算して、複素検波信号ｐおよびｑを出力する。位相差検出部７としての乗算器７１は、複素検波信号ｐおよびｑを乗算して、受信信号の位相と局部発振信号の位相との位相差の２倍の正弦成分を、位相差検出量として出力する。ループフィルター８は、この位相差検出量の直流成分を強調する。局部発振部６は、ループフィルター８が出力する位相差検出量に応じた周波数の上記局部発振信号ｃおよびｓを出力する。領域判定部９は、ベースバンド信号ｘおよびｙが複素平面上でどの領域に属するかを判定して領域信号を出力する。最多領域判定部１０は、所定の回数Ｍだけこの領域信号を入力し、どの領域に最も多くベースバンド信号が属したかを判定して、最多領域信号を出力する。初期位相発生器１１は、最多領域信号に対応した初期位相を発生する。局部発振部６は、初期位相が発生した時点で、この初期位相を局部発振信号の位相に設定する。タイミング発生回路１２は、局部発振部６が必要とする設定信号と、最多領域判定部１０が必要とする開始信号とを出力する。
【００２５】
次に、領域判定部９，最多領域判定部１０，初期位相発生器１１，タイミング発生回路１２および局部発振部６の動作を詳しく説明する。
【００２６】
領域判定部９内の比較器９１および９２は、それぞれ、ベースバンド信号ｘおよびｙが０以上のときに論理レベル１を出力し、０未満のときに論理レベル０を出力する。論理回路９３は、比較器９１および９２の出力が等しいときに論理レベル１を、異なるときに論理レベル０を出力する。すなわち、図２を参照して、ベースバンド信号ｘおよびｙがハッチングを施した領域（ｘ＞＝０かつｙ＞＝０の領域、またはｘ＜０かつ＜０の領域）に属するときに論理レベル１が出力され、そうでないときに論理レベル０が出力される。
【００２７】
最多領域判定部１０内のカウンター１０１は、タイミング発生回路１２が出力する開始信号（図３参照）がアクティブになると、その計数値が０になり、次のシンボルクロックから計数を開始する。そして、カウンター１０１は、シンボルクロックＭ回分の計数を終えたときに、所定のＭ回のうち何回論理レベルが１であるかという計数結果Ｌを出力する。比較器１０２は、計数結果ＬがＭ／２以上ならば図２のハッチング領域を示す信号を出力して、Ｍ／２未満ならば図２の非ハッチング領域を示す信号を出力する。
【００２８】
初期位相発生器１１は、ハッチング領域を示す信号に対しては初期位相π／４を出力し、非ハッチング領域を示す信号に対しては初期位相−π／４を出力する。
【００２９】
局部発振部６内の選択回路６２は、タイミング発生回路１２から設定信号が出力されるタイミング、すなわち初期位相発生器１１から初期位相が出力されるタイミングで当該初期位相を選択し、レジスタ６３は、この初期位相を捕捉する。選択回路６２は、上記タイミング以外では、加算器６１の出力、すなわちレジスタ６３の出力とループフィルター８の出力との和を選択する。従って、レジスタ６３が保持する値は、ループフィルター８が出力する位相差検出量に応じて修正され、応じて局部発振部６が出力する局部発振信号の位相が修正される。余弦関数発生器６４および正弦関数発生器６５は、局部発振信号の位相を入力して局部発振信号を出力する。
【００３０】
次に、上記のような構成により、ハングアップ現象が防止できる理由を説明する。
領域判定部９および最多領域判定部１０は、ベースバンド信号ｘ，ｙが図２のどの領域に多く存在するかを判定する。ベースバンド信号ｘ，ｙが図２のハッチング領域に多く存在するときは、図４に示す２相ＰＳＫ方式の理想的なｘ，ｙと比較して、位相が０〜π／２または−π〜−π／２だけ回転していると判断できる。なお、雑音の影響で真の回転角度がこの範囲を越えていることがあるが、大きく越えることはない。このとき、初期位相発生器１１で位相π／４を発生させて局部発振部６の位相に設定すると、その設定位相は、回転角度から見て±π／４以内に納まる（２相ＰＳＫ方式の位相は、π毎に位置するので、πの整数倍の位相差は差し引く）。この場合、回転角度から見て、設定位相が±π／２の近傍に来ることが無いので、ハングアップ現象が防止できる。
【００３１】
一方、ベースバンド信号ｘ，ｙが図２の非ハッチング領域に多く存在するときは、図４に示す２相ＰＳＫ方式の理想的なｘ，ｙと比較して、位相が−π／２〜０またはπ／２〜πだけ回転していると判断できる。なお、雑音の影響で真の回転角度がこの範囲を越えていることがあるが、大きく越えることはない。このとき、初期位相発生器１１で位相−π／４を発生させて局部発振部６の位相に設定すると、その設定位相は、回転角度から見て±π／４以内に納まる（２相ＰＳＫ方式の位相は、π毎に位置するので、πの整数倍の位相差は差し引く）。この場合、回転角度から見て、設定位相が±π／２の近傍に来ることが無いので、ハングアップ現象が防止できる。
【００３２】
上記のような構成において、受信信号の位相と局部発振信号の位相との誤差が０になった時点（すなわち、レジスタ６３に保持される位相差検出量が０になった時点）での局部発振信号の出力信号が、再生された搬送波となる。すなわち、この時点での局部発振信号は、その位相が受信信号の位相と一致しているからである。再生された搬送波は、図示しない復調回路に与えられ、受信信号の位相（２相ＰＳＫの場合は、０°か１８０°か）を調べるために用いられる。
【００３３】
なお、上記第１の実施形態では、ベースバンド信号ｘ，ｙを得るために、直交振幅検波器３およびサンプラー４を用いているが、他にも種々の構成を採用することが可能である。例えば、直交振幅検波器３とサンプラー４との間に波形整形用のフィルターを挿入する、あるいは直交振幅検波器３の後にデシメーションフィルターを設けてサンプラー４を省略する等の構成を取ることが可能である。また、位相差検出部７の後にループフィルター８を設けているが、受信信号の周波数誤差が小さい場合には、ループフィルター８を省略することができる。
【００３４】
（第２の実施形態）
図１の位相差検出部７、領域判定部９および初期位相発生器１１の構成を若干変更することにより、４相ＰＳＫ方式に対応する搬送波再生装置を得ることができる。以下には、変更した部分の構成と動作を説明する。なお、その他の部分の構成および動作は、第１の実施形態と同様であるので、その説明を省略する。
【００３５】
第２の実施形態では、位相差検出部７は、図５に示すように、レベル判定器７２，７３と、乗算器７４，７５と、減算器７６とを含む。これは、変形コスタスループとして知られる構成であり、受信信号の位相と局部発振信号の位相との位相差の正弦成分を出力する。
【００３６】
また、第２の実施形態では、領域判定部９は、図６に示すように、比較器９１，９２と、−π／２回転器９４ｂと、π回転器９４ｃと、π／２回転器９４ｄと、選択回路９５と、比較器９６とを含む。比較器９１および９２が出力する論理レベルの組は、
（ａ）１，１
（ｂ）０，１
（ｃ）０，０
（ｄ）１，０
の４通りがある。（ａ），（ｂ），（ｃ），（ｄ）は、それぞれ、複素平面上の第１，第２，第３，第４象限を表す。選択回路９５は、（ａ）の場合はｘ，ｙをそのまま、（ｂ）の場合は−π／２回転器９４ｂによって−π／２だけ回転させた量を、（ｃ）の場合はπ回転器９４ｃによってπだけ回転させた量を、（ｄ）の場合はπ／２回転器９４ｄによってπ／２だけ回転させた量を選択する。すなわち、選択回路９５の出力Ｘ，Ｙは、第１象限に集められる。比較器９６は、ＸとＹとを比較し、図７に示すハッチング領域の場合には論理レベル１を、非ハッチング領域の場合には論理レベル０を出力する。
【００３７】
さらに、第２の実施形態では、初期位相発生器１１は、ベースバンド信号が、図７のハッチング領域に多く存在する場合に初期位相π／８を出力し、非ハッチング領域に多く存在する場合に初期位相−π／８を出力する。
【００３８】
ベースバンド信号Ｘ，Ｙが図７のハッチング領域に存在するときは、図８に示す４相ＰＳＫ方式の理想的なＸ，Ｙと比較して位相が０〜π／４だけ回転していると判断できる。なお、雑音の影響で真の回転角度がこの範囲を越えていることがあるが、大きく越えることはない。このとき、初期位相発生器１１で位相π／８を発生させて局部発振部６の位相に設定すると、その設定位相は、回転角度から見て±π／８以内に納まる。この場合、回転角度から見て、設定位相が±π／４の近傍に来ることが無いので、ハングアップ現象が防止できる。
【００３９】
一方、ベースバンド信号Ｘ，Ｙが図７の非ハッチング領域に存在するときは、図８に示す４相ＰＳＫ方式の理想的なＸ，Ｙと比較して位相が−π／４〜０だけ回転していると判断できる。なお、雑音の影響で真の回転角度がこの範囲を越えていることがあるが、大きく越えることはない。このとき、初期位相発生器１１で位相−π／８を発生させて局部発振部６の位相に設定すると、その設定位相は、回転角度から見て±π／８以内に納まる。この場合、回転角度から見て、設定位相が±π／４の近傍に来ることが無いのでハングアップ現象が防止できる。
【００４０】
（第３の実施形態）
なお、領域判定部９を図９のように構成し、ベースバンド信号Ｘ，Ｙを判定回路９７で判定して図１１に示すような２つ以上の領域（ここでは４つ領域）のうちどれに属するかを出力してもよい。ここでは、４本の出力のうち、１つのみが論理レベル１を出力する。この場合、最多領域判定部１０は、図１０のように構成され、４本の出力をカウンター１０１−１〜１０１−４で計数する。最大値探索回路１０３は、これらカウンター１０１−１〜１０１−４のうち、どれが最も大きな値を持つかを出力する。結果は４通りあるので、２ビットの出力で表せる。初期位相発生器１１は、図１１に示した領域Ｄ１，Ｄ２，Ｄ３，Ｄ４に応じて、それぞれ、初期位相−３π／１６，−π／１６，π／１６，３π／１６を出力する。このようにすると、初期位相が、回転角度からみて±π／１６以内という狭い範囲に納まるので、初期位相設定後の局部発振信号の位相修正が早く完了する。
【００４１】
（第４の実施形態）
図１２は、本発明の第４の実施形態に係る搬送波再生装置の構成を示すブロック図である。この実施形態は、バースト状の受信信号（任意の期間連続する信号が、間欠的に入力されるような受信信号）にも対応するものである。
【００４２】
図１２に示すように、第４の実施形態は、前述した第１の実施形態と比べて、記憶部１３をサンプラー４の後に挿入し、さらにタイミング・アドレス発生回路１４を設けて、設定信号と開始信号を発生するとともに記憶部１３に供給するアドレスを発生する点で構成が異なっている。その他の構成は、第１の実施形態と同様であり、相当する部分には同一の参照番号を付し、その説明を省略する。以下、構成が相違する部分の動作を説明する。
【００４３】
記憶部１３は、受信信号から変換したベースバンド信号を記憶する。タイミング・アドレス発生回路１４は、図１３に示したように、最初に開始信号を出力し、引き続きＭ個のシンボルクロック分だけ、記憶部１３の任意の部分の読み出しアドレスを任意の順序で出力する。ただし、領域の分割数が少ない、または受信信号に含まれる雑音が少ないときは、読み出す個数は少なくてよい。これに対し、領域の分割数が多い、または受信信号に含まれる雑音が多いときは、読み出す個数を多くする必要がある。開始信号や読み出しアドレスは、記憶部１３が１バースト全体を記憶完了するまでに出力してもよい。Ｍ個の読み出しアドレスを出力し終えた時点で、領域判定部９および最多領域判定部１０が最多領域を判定し、初期位相発生器１１が初期位相を出力する。
【００４４】
次に、タイミング・アドレス発生回路１４は、図１３に示したように、設定信号を出力し、引き続き、記憶部１３の任意の部分の読み出しアドレスを任意の順序で出力する。読み出しアドレスには、重複があって、発生する数が１バースト分を越えてもよい。すなわち、１バースト分のベースバンド信号を繰り返して読み出しても良い。要するに、局部発振信号の位相の修正が完了するように、十分な読み出し個数が定められる。これによって、局部発振部６が出力する局部発振信号の位相が修正される。
【００４５】
最後に、タイミング・アドレス発生回路１４は、図１３に示したように、記憶部１３の復調すべき部分の読み出しアドレスを、復調すべき順序で出力する。
【００４６】
以上のように構成することで、局部発振信号位相の初期位相設定と修正が完了した後に、記憶部１３に保持しているベースバンド信号を、１バースト全体にわたって復調を行うことができる。従って、搬送波再生用のトレーニング信号（搬送波の位相を合わせるためだけに送られる変調信号）をバーストに含める必要がなく、伝送効率の向上が図れる。
【００４７】
なお、前述した第２の実施形態と同様に、位相差検出部７、領域判定部９および初期位相発生器１１の構成を変更することにより、この実施の形態でも４相ＰＳＫ方式に対応する搬送波再生装置を得ることができる。
【図面の簡単な説明】
【図１】本発明の第１の実施形態に係る搬送波再生装置の構成を示すブロック図である。
【図２】第１の実施形態で最多領域を判定する際に用いられる複素平面上の領域を示す図である。
【図３】図１におけるタイミング発生回路１２の出力を示すタイミングチャートである。
【図４】複素平面上での２相ＰＳＫ信号の理想的な位置を示す図である。
【図５】本発明の第２の実施形態の搬送波再生装置における位相差検出部の構成を示すブロック図である。
【図６】本発明の第２の実施形態の搬送波再生装置における領域判定部の構成を示すブロック図である。
【図７】第２の実施形態で最多領域を判定する際に用いられる複素平面上の領域を示す図である。
【図８】複素平面上での４相ＰＳＫ信号の理想的な位置を示す図である。
【図９】本発明の第３の実施形態の搬送波再生装置における領域判定部の構成を示すブロック図である。
【図１０】本発明の第３の実施形態の搬送波再生装置における最多領域判定部の構成を示すブロック図である。
【図１１】第３の実施形態で最多領域を判定する際に用いられる複素平面上の領域を示す図である。
【図１２】本発明の第４の実施形態に係る搬送波再生装置の構成を示すブロック図である。
【図１３】図１２におけるタイミング・アドレス発生回路１４の出力を示すタイミングチャートである。
【図１４】従来の搬送波再生装置の構成を示すブロック図である。
【符号の説明】
１…受信信号入力端子
２…固定発振器
３…直交振幅検波器
４…サンプラー
５…複素乗算器
６…局部発振部
７…位相差検出部
８…ループフィルター
９…領域判定部
１０…最多領域判定部
１１…初期位相発生器
１２…タイミング発生回路
１３…記憶部
１４…タイミング・アドレス発生回路
【図１】
0003552183.tif 000002
【図２】
0003552183.tif 000003
【図３】
0003552183.tif 000004
【図４】
0003552183.tif 000005
【図５】
0003552183.tif 000006
【図６】
0003552183.tif 000007
【図７】
0003552183.tif 000008
【図８】
0003552183.tif 000009
【図９】
0003552183.tif 000010
【図１０】
0003552183.tif 000011
【図１１】
0003552183.tif 000012
【図１２】
0003552183.tif 000013
【図１３】
0003552183.tif 000014
【図１４】
0003552183.tif 000015